(57)【要約】【課題】生体の体動状態の異常をより確実に検知可能な、体動状態監視センサ装置を提供する。【解決手段】体動状態監視センサ装置１はセンサ本体２とセンサ回路９とを備える。センサ本体２は、生体の近傍に配置される検出電極３を備え、生体と検出電極３の間の静電容量を検出する。センサ回路９は、センサ本体２によって検出された静電容量の変化量に基づいて生体の体動状態を監視するためのものであって、静電容量の変化量が所定時間の間に所定変化量以下であるときに、生体の体動状態が異常状態であることを示す判定信号を出力するようになっている。【選択図】図１
0003167561.tif 000002
【実用新案登録請求の範囲】
【請求項１】
生体の近傍に配置される検出電極を備え、前記生体と前記検出電極の間の静電容量を検出するセンサ本体と、前記センサ本体によって検出された静電容量の変化量に基づいて前記生体の体動状態を監視するためのセンサ回路と、を備えた体動状態監視センサ装置であって、
前記センサ回路は、前記静電容量の変化量が所定時間の間に所定変化量以下であるときに、前記生体の体動状態が異常状態であることを示す判定信号を出力するようになっていることを特徴とする体動状態監視センサ装置。
【請求項２】
前記検出電極は、絶縁部材で被覆された導電性撚り線、導線、または導電性薄膜からなり、
前記センサ本体は、
一方の面に前記検出電極が設けられた絶縁シートと、
前記検出電極に対する前記生体以外からの電界を遮蔽するために、前記絶縁シートの他方の面にベタ状、格子状もしくは網目状に設けられた導電性薄膜または導電板からなるガード電極と、をさらに備え、
前記センサ回路は、
前記ガード電極に、前記検出電極と同一の電位を前記検出電極よりも低インピーダンスで与えるガード回路と、をさらに備えたことを特徴とする請求項１に記載の体動状態監視センサ装置。
【請求項３】
前記センサ回路は、
前記センサ本体によって検出された静電容量の変化量をシグマ−デルタ変換方式または発振周波数方式によって検出してデジタル信号に変換するデジタル変換部と、
前記デジタル変換部によって変換された前記デジタル信号を前記所定時間間隔で順次記憶する記憶部と、
前記記憶部に順次記憶された前記所定時間の前後におけるデジタル信号をそれぞれＭ、Ｎとしたときに、｜（Ｎ−Ｍ）／Ｍ｜×１００［％］なる式で定義される、前記Ｍに対する前記Ｎの変化率の絶対値、または、｜Ｎ−Ｍ｜なる式で定義される、前記Ｍに対する前記Ｎの差分の絶対値、を算出し、前記変化率の絶対値または前記差分の絶対値が所定値以上であるときに、リセット信号を出力する演算部と、
予め設定された少なくとも１つ以上の設定時間を計測することにより、前記設定時間の経過後に、前記生体の体動状態が異常状態であることを示す判定信号を出力するタイマー部と、をさらに備え、
前記タイマー部が前記演算部から前記リセット信号を受信した時に、前記設定時間の時間計測がリセットされうるように構成されていることを特徴とする請求項１または２に記載の体動状態監視センサ装置。
【請求項４】
前記タイマー部は、
予め設定された第１の設定時間を計測することにより、前記第１の設定時間の経過後に、前記生体の体動状態が注意状態であることを示す第１の判定信号を出力する第１のタイマー部と、
予め設定された、前記第１の設定時間よりも長い第２の設定時間を計測することにより、前記第２の設定時間の経過後に、前記生体の体動状態が警告状態であることを示す第２の判定信号を出力する第２のタイマー部と、を備え、
前記第１のタイマー部が前記演算部から前記リセット信号を受信した時に、前記第１の設定時間の時間計測がリセットされる一方、前記第２のタイマー部が前記演算部から前記リセット信号を受信した時に、前記第２の設定時間の時間計測がリセットされないように構成されていることを特徴とする請求項３に記載の体動状態監視センサ装置。
【考案の詳細な説明】
【技術分野】
【０００１】
本考案は、体動状態監視センサ装置、特に、人や動物等の生体の体動状態の異常を検知するための体動状態監視センサ装置に関するものである。
【背景技術】
【０００２】
近年、少子化や高齢化に伴い、高齢者等の要介護者を世話する介護支援者の負担が大きな社会問題になっている。特に、要介護者の就寝状態を確認するために、介護支援者が就寝中の要介護者に常に付き添うのは極めて困難である。そこで、このような介護支援者の負担を少しでも軽減するために、以下に説明するような（１）マットスイッチ方式、（２）監視カメラ方式または（３）静電容量センサ方式を採用した、要介護者の就寝状態を監視する各種装置が提案されている（例えば、特許文献１〜３参照）。
【０００３】
（１）特許文献１に記載の装置は、要介護者のベッド近傍の床上に配置されたマットスイッチ（圧力感知マット）を備え、要介護者がベッドから離れる際にマットスイッチを踏んだことを検出して、要介護者がベッドから離れたか否かを監視するものである。
（２）特許文献２に記載の装置は、ベッド近傍に配置された監視カメラを備え、この監視カメラで就寝中の要介護者を撮像して、その画像データを解析して、要介護者が起床したか否かを監視するものである。
（３）特許文献３に記載の装置は、要介護者のベッド近傍に配置された静電容量センサ（静電容量タッチセンサー）を備え、この静電容量センサの検出電極（静電容量タッチ電極）と誘電体である要介護者との間の静電容量の変化を検出して、要介護者がベッドに存在しているか否かを監視するものである。
【先行技術文献】
【特許文献】
【０００４】
【特許文献１】特開平１０−０９４５２５号（特に、段落［００２３］、図４参照）
【特許文献２】特開２００６−１７５０８２号（特に、段落［００１６］、図１参照）
【特許文献３】特開２００７−２１３８４５号（特に、段落［００４０］、図１参照）
【考案の概要】
【考案が解決しようとする課題】
【０００５】
しかしながら、上記の従来の各装置は、以下に説明するような問題点がある。
（１）特許文献１に記載の装置では、要介護者以外の者がマットスイッチを踏むと誤報が生じる上、要介護者がマットスイッチを踏まない限り、その異常状態は検知されない。
（２）特許文献２に記載の装置では、要介護者が監視カメラで撮像されているという不快感をもつ上、要介護者が上体を起こす等して起床しない限り、その異常状態は検知されない。しかも、この装置は、監視カメラで撮像した画像データの解析が複雑かつ高コストである。
（３）特許文献３に記載の装置では、要介護者が離床または帰床する等してベッドの静電容量センサに接近しない限り、その異常状態は検知されない。
【０００６】
そして、上記（１）〜（３）の各装置に共通している問題点は、就寝中であった要介護者がベッドから離れたり起床したりする等の異常状態は検知される反面、要介護者がベッド上にいるときには正常状態であるという誤った判定がなされてしまう点にある。すなわち、特許文献１〜３に記載の装置は、例えば、ベッド上で要介護者が意識を失っていたり身動きがとれなかったりして動かない等の異常状態を検知できない。
【０００７】
ところで、本考案者らは、要介護者等の生体では姿勢変化等によって、常に一定レベルの体動が生じていることに着目し、何らかの理由により体動が生じなくなった場合、または、微弱な（低レベルの）体動が長時間続く場合等においては、生体の体動状態が異常であると判定することが可能であることを見出した。
そこで、本考案の課題は、生体の体動状態の異常をより確実に検知可能な、体動状態監視センサ装置を提供することにある。
【課題を解決するための手段】
【０００８】
上記課題を解決するため、本考案は、生体の近傍に配置される検出電極を備え、前記生体と前記検出電極の間の静電容量を検出するセンサ本体と、前記センサ本体によって検出された静電容量の変化量に基づいて前記生体の体動状態を監視するためのセンサ回路と、を備えた体動状態監視センサ装置であって、前記センサ回路は、前記静電容量の変化量が所定時間の間に所定変化量以下であるときに、前記生体の体動状態が異常状態であることを示す判定信号を出力するようになっていることを特徴とする体動状態監視センサ装置としたものである。
ここで、生体とは、人のみに限定されず動物の体をも広く含む概念である。また、体動とは、寝返り等の姿勢変化、頭や手足の動き等を広く含む、生体の動きを意味する。
この考案によれば、センサ本体によって検出された静電容量の変化量が所定時間の間に所定変化量以下であるときに、センサ回路が判定信号を出力するように構成されているので、従来技術では実現できなかった、例えば就寝中の要介護者等の生体が動かない等の異常をより確実に検知することができる。
【０００９】
上記構成において、前記検出電極は、絶縁部材で被覆された導電性撚り線、導線、または導電性薄膜からなり、前記センサ本体は、一方の面（表面）に前記検出電極が設けられた絶縁シートと、前記検出電極に対する前記生体以外からの電界を遮蔽するために、前記絶縁シートの他方の面（裏面）にベタ状、格子状もしくは網目状に設けられた導電性薄膜または導電板からなるガード電極と、をさらに備え、前記センサ回路は、前記ガード電極に、前記検出電極と同一の電位を前記検出電極よりも低インピーダンスで与えるガード回路と、をさらに備えたことが好ましい。
この考案によれば、センサ本体において、絶縁シートの一方の面に導電性撚り線、導線、または導電性薄膜からなる検出電極が設けられ、他方の面に導電性薄膜または導電板からなるガード電極が設けられているので、センサ本体を薄くてフレキシブルなものにすることができる。
また、ガード回路において、ガード電極が検出電極に対して低インピーダンスで同じ電位に保持されるように構成されている。このため、センサ本体において、検出電極と生体の間の静電容量のみが検出され、この静電容量以外のノイズの原因になる静電容量、すなわち、検出電極の電位とは異なる電位を有する周辺環境（例えば検出電極の裏面や周辺機器などの物体）と当該検出電極の間の静電容量は検出されなくなる。
【００１０】
上記構成において、前記センサ回路は、前記センサ本体によって検出された静電容量の変化量をシグマ−デルタ変換方式または発振周波数方式によって検出してデジタル信号に変換するデジタル変換部と、前記デジタル変換部によって変換された前記デジタル信号を前記所定時間間隔で順次記憶する記憶部と、前記記憶部に順次記憶された前記所定時間の前後におけるデジタル信号をそれぞれＭ、Ｎとしたときに、｜（Ｎ−Ｍ）／Ｍ｜×１００［％］なる式で定義される、前記Ｍに対する前記Ｎの変化率の絶対値、または、｜Ｎ−Ｍ｜なる式で定義される、前記Ｍに対する前記Ｎの差分の絶対値、を算出し、前記変化率の絶対値または前記差分の絶対値が所定値以上であるときに、リセット信号を出力する演算部と、予め設定された少なくとも１つ以上の設定時間を計測することにより、前記設定時間の経過後に、前記生体の体動状態が異常状態であることを示す判定信号を出力するタイマー部と、をさらに備え、前記タイマー部が前記演算部から前記リセット信号を受信した時に、前記設定時間の時間計測がリセットされうるように構成されていることが好ましい。
この考案によれば、演算部によるデジタル信号の演算結果に基づいて、タイマー部から判定信号が出力されるようになっているので、この判定信号によって、生体の体動状態が異常状態であるか否かを簡単に検知することができる。
【００１１】
上記構成において、前記タイマー部は、予め設定された第１の設定時間を計測することにより、前記第１の設定時間の経過後に、前記生体の体動状態が注意状態であることを示す第１の判定信号を出力する第１のタイマー部と、予め設定された、前記第１の設定時間よりも長い第２の設定時間を計測することにより、前記第２の設定時間の経過後に、前記生体の体動状態が警告状態であることを示す第２の判定信号を出力する第２のタイマー部と、を備え、前記第１のタイマー部が前記演算部から前記リセット信号を受信した時に、前記第１の設定時間の時間計測がリセットされる一方、前記第２のタイマー部が前記演算部から前記リセット信号を受信した時に、前記第２の設定時間の時間計測がリセットされないように構成されていることが好ましい。
ここで、注意状態とは、生体の体動状態がやや危険な状態にあることを意味し、警告状態とは、生体の体動状態が注意状態よりもさらに危険な状態にあることを意味する。
この考案によれば、第１および第２のタイマー部によって、それぞれ第１および第２の設定時間が計測され、第１および第２の判定信号が出力されるようになっているので、これらの判定信号によって、生体の体動状態の異常状態をより詳しく判別した形で検知することができる。
また、第２のタイマー部がリセット信号を受信しても、第２の設定時間の時間計測がリセットされないようになっている。これにより、警告状態であることを示す第２の判定信号が出力されたとき、その出力がリセットされずに保持された状態となるため、生体の体動状態の異常状態をより安全に検知することができる。
【考案の効果】
【００１２】
本考案によれば、生体の体動状態の異常をより確実に検知可能な、体動状態監視センサ装置を提供することができる。
【図面の簡単な説明】
【００１３】
【図１】（Ａ）は本考案に係る体動状態監視センサ装置のブロック図であり、（Ｂ）は（Ａ）のセンサ本体の一構成例を示す一部破断上面図であり、（Ｃ）は（Ｂ）の線Ｘ−Ｘ’線に沿った断面図である。
【図２】（Ａ）はシグマ−デルタ変換回路の一構成例を示す回路図であり、（Ｂ）は図１のデジタル変換部の他の構成例を示す回路図である。
【図３】（Ａ）は図１のセンサ本体の配置場所の一例を示す上面図であり、（Ｂ）は（Ａ）の側面図である。
【図４】図１のセンサ回路の動作状態を説明するための実験結果であり、（Ａ）はデジタル変換部から出力されたデジタル信号（出力電圧）の時間特性を示すグラフ、（Ｂ）は演算部で算出された変化率の絶対値の時間特性を示すグラフ、（Ｃ）は演算部から出力されたリセット信号の時間波形、（Ｄ）はタイマー部の設定時間の計測過程を説明するためのグラフ、（Ｅ）は第１のタイマー部から出力された第１の判定信号（注意信号）の時間波形、（Ｆ）は第２のタイマー部から出力された第２の判定信号（警告信号）の時間波形である。
【考案を実施するための形態】
【００１４】
以下、本考案の好ましい実施例について図面を参照しながら説明する。
【００１５】
図１（Ａ）に示すように、本考案に係る体動状態監視センサ装置１は、センサ本体２と、センサ回路９とを備える。
【００１６】
センサ本体２は、生体ＬＢの近傍に配置される検出電極３を備え、誘電体である生体ＬＢと検出電極３の間の静電容量を検出するものである。
センサ回路９は、センサ本体２によって検出された静電容量の変化量に基づいて生体ＬＢの体動状態を監視するものである。センサ回路９は、当該静電容量の変化量が所定時間の間に所定変化量以下であるときに、生体ＬＢの体動状態が異常状態であることを示す判定信号（例えば、後述する注意信号や警告信号等）を出力するようになっている。
【００１７】
図１（Ｂ）および（Ｃ）に示すように、センサ本体２は、検出電極３以外に、ガード電極４と、絶縁シート５ａ、５ｂと、をさらに備える。なお、図１（Ａ）には、センサ本体２において検出電極３およびガード電極４のみが概略的に図示されている。
検出電極３は、絶縁部材３ｂで被覆された導電性撚り線３ａからなる。検出電極３は、絶縁シート５ａの一方の面（表面）に例えば接着手段を介して格子状に設けられている。
ガード電極４は、検出電極３に対する生体ＬＢ以外からの電界を遮蔽するためのものであり、例えば金属箔やメッキ箔（銅箔、アルミ箔等）等といった導電性薄膜からなる。ガード電極４は、絶縁シート５ａの一方の面の格子状の検出電極３に対応するように、当該絶縁シート５ａの他方の面（裏面）に格子状に設けられている。ガード電極４の検出電極３とは反対の側は、絶縁シート５ｂの一方の面と対向または接触している。
さらに、センサ本体２の周囲は、例えば絶縁布のような絶縁カバー部材５ｃによってカバーされている。
【００１８】
センサ回路９は、センサ本体２の後段に接続されたガード回路６を備える。ガード回路６は、ガード電極４に検出電極３と同一の電位を当該検出電極３よりも低インピーダンスで与えるものであり、バッファーアンプ７を備える公知の回路からなる。センサ本体２とセンサ回路９は、例えば同軸ケーブル８（内側部分が検出電極３で、外側部分がガード電極４からなるケーブル）を介して接続されている。また、センサ回路９は、ガード回路６以外に、ガード回路６の後段に接続されたデジタル変換部１０と、クロック信号発生部１１と、記憶部１２と、演算部１３と、タイマー部１４と、をさらに備える。
【００１９】
デジタル変換部１０は、センサ本体２によって検出された静電容量の変化量を例えばシグマ−デルタ変換方式によって検出してデジタル信号に変換するものである。
ここで、シグマ−デルタ変換方式とは、図２（Ａ）に示すような公知のシグマ−デルタ変換回路を用いるものである。なお、このシグマ−デルタ変換回路と同一のものが本出願人の実用新案登録第３１６２０３２号公報に開示されているので、その構成および動作の説明は省略する。このシグマ−デルタ変換回路を用いることにより、検出電極３と生体ＬＢの間の静電容量の変化を高分解能なデジタル信号に変換することができる。
【００２０】
クロック信号生成部１１は、上記所定時間の周期に基づいたクロック信号を生成する。このクロック信号は、後述する記憶部１２、演算部１３およびタイマー部１４に伝達される。
【００２１】
記憶部１２は、デジタル変換部１０によって変換されたデジタル信号を、クロック信号生成部１１からのクロック信号に基づいて、上記所定時間間隔で順次記憶するものであり、例えばシフトレジスタ等のレジスタ回路からなる。
【００２２】
演算部１３は、クロック信号に基づいて記憶部１２に所定時間間隔で順次記憶されたデジタル信号を次のように演算する回路である。すなわち、演算部１３は、この所定時間の前後におけるデジタル信号をそれぞれＭ、Ｎとしたときに、｜（Ｎ−Ｍ）／Ｍ｜×１００［％］なる式で定義される、Ｍに対するＮの変化率の絶対値を算出する。そして、演算部１３は、算出した変化率の絶対値が所定値以上であるときに、後述するタイマー部１４にリセット信号を出力する。
【００２３】
タイマー部１４は、予め設定された少なくとも１つ以上の設定時間を計測することにより、設定時間の経過後に、生体ＬＢの体動状態が異常状態であることを示す判定信号を出力するようになっている。なお、タイマー部１４は、設定時間が経過するまでは判定信号を出力しない。さらに、タイマー部１４が演算部１３からリセット信号を受信した時に、設定時間の時間計測がリセットされうるように構成されている。なお、タイマー部１４は、自身の電源が投入された時点から設定時間の計測を開始し、クロック信号をカウントすることによりその設定時間を計測するようになっている。
【００２４】
タイマー部１４は、この実施例では、第１のタイマー部１４ａと第２のタイマー部１４ｂとを備える。
第１のタイマー部１４ａは、予め設定された第１の設定時間（注意時間）を計測することにより、第１の設定時間の経過後に、生体ＬＢの体動状態が注意状態であることを示す第１の判定信号（注意信号）を出力する。なお、第１のタイマー部１４ａは、第１の設定時間が経過するまでは第１の判定信号を出力しない。さらに、第１のタイマー部１４ａが演算部１３からリセット信号を受信した時に、第１の設定時間の時間計測がリセットされるようになっている。
第２のタイマー部１４ｂは、予め設定された、第１の設定時間よりも長い第２の設定時間（警告時間）を計測することにより、第２の設定時間の経過後に、生体ＬＢの体動状態が警告状態であることを示す第２の判定信号（警告信号）を出力する。第２のタイマー部１４ｂが演算部１３からリセット信号を受信した時に、第２の設定時間の時間計測がリセットされないようになっている。なお、第２のタイマー部１４ｂは、第２の設定時間が経過するまでは第２の判定信号を出力しないが、一旦第２の判定信号を出力した後においては、第２の判定信号を出力した状態に保持する。
【００２５】
次に、この体動状態監視センサ装置の動作について、実際に寝具上に被検者（要介護者）を就寝させて本装置を用いてこの生体と検出電極との間の静電容量の変化を測定した実験結果（図４）を参照して、以下に説明する。
【００２６】
この実験は、以下のような手順で行った。
まず、図３（Ａ）および（Ｂ）に示すように、被検者の生体ＬＢの胸部に対応させた大きさのセンサ本体２を、生体ＬＢの近傍（敷布と敷布団の間）に配置した。
そして、このセンサ本体２によって生体ＬＢと検出電極３の間の静電容量を検出し、センサ回路９によって生体ＬＢの体動状態を約２６０分間にわたって監視した。
ここで、センサ回路９においては、上記所定時間（クロック信号の周期）を１０分として、デジタル変換部１０によって変換されたデジタル信号を１０分間隔で記憶部１２に順次記憶させ、演算部１３でデジタル信号の変化率の絶対値を算出した。さらに、演算部１３においては、変化率の絶対値が６％以上であるときにリセット信号が出力されるようにした。また、第１および第２のタイマー部１４ａ、１４ｂにおいては、それぞれ第１および第２の設定時間（注意時間および警告時間）を２０分、３０分に設定した。
【００２７】
図４（Ａ）に示すように、デジタル変換部１０が、就寝中の生体ＬＢの体動に伴って刻々と変化するデジタル信号（出力電圧）を出力し、記憶部１２が、このデジタル信号を所定時間１０分間隔で順次記憶していく。
この時、図４（Ｂ）に示すように、演算部１３は、記憶部１２に順次記憶されたデジタル信号の変化率の絶対値を算出する。そして、図４（Ｃ）に示すように、演算部１３は、この算出された絶対値が６％以上であるときにリセット信号を出力する（時間ｔ＝２０、５０、７０、８０、９０、１２０、１３０、１５０、１８０、１９０分を参照）。
そして、図４（Ｄ）および（Ｅ）に示すように、第１のタイマー部１４ａは、２０分の注意時間を計測することにより、注意信号を出力する（時間ｔ＝４０、１１０、１７０、２１０分を参照）。そして、第１のタイマー部１４ａが演算部１３からリセット信号を受信した時には、注意時間の時間計測がリセットされ、注意信号は出力されなくなる（時間ｔ＝５０、１２０、１８０分を参照）。
さらに、図４（Ｄ）および（Ｆ）に示すように、第２のタイマー部１４ｂは、３０分の警告時間を計測することにより、警告信号を出力する（時間ｔ＝２２０分を参照）。なお、図示していないが、第２のタイマー部１４ｂが演算部１３からリセット信号を受信した時でも、警告時間の時間計測はリセットされることなく、警告信号は出力されたままになっている。
【００２８】
（効果）
この体動状態監視センサ装置によれば、センサ本体２によって検出された静電容量の変化量が所定時間の間に所定変化量以下であるときに、センサ回路９が判定信号を出力するので、例えば就寝中の要介護者等の生体が動かない等の異常をより確実に検知することができる。
また、センサ本体２において、絶縁シート５ａの一方の面に導電性撚り線３ａからなる検出電極３が設けられ、他方の面に導電性薄膜からなるガード電極４が設けられているので、センサ本体２を薄くてフレキシブルなものにすることができる。そして、ガード回路６において、ガード電極が検出電極に対して低インピーダンスで同じ電位に保持されるので、静電容量の検出の際のノイズを減らすことができる。
また、演算部１３によるデジタル信号の演算結果に基づいて、タイマー部１４から判定信号が出力されるようになっているので、この判定信号によって、生体ＬＢの体動状態が異常状態であるか否かを簡単に検知することができる。特に、第１および第２のタイマー部１４ａ、１４ｂによって、それぞれ第１および第２の設定時間が計測され、第１および第２の判定信号が出力されるようになっているので、これらの判定信号によって、生体ＬＢの体動状態の異常状態をより詳しく判別した形で検知することができる。
さらに、第２のタイマー部１４ｂがリセット信号を受信しても、第２の設定時間の時間計測がリセットされないようになっている。これにより、警告状態であることを示す第２の判定信号が出力されたとき、その出力がリセットされずに保持された状態となるため、生体ＬＢの体動状態の異常状態をより安全に検知することができる。
【００２９】
以上、本考案の好ましい実施例を説明したが、本考案の構成はこれに限定されるものではない。
例えば、検出電極３は、絶縁部材３ｂに被覆された導電性撚り線３ａに限定されるものではなく、絶縁部材３ｂに被覆された導線や導電性薄膜であってもよい。また、ガード電極４は、導電性薄膜に限定されるものではなく、導電板であってもよい。さらに、絶縁シート３ａに対する検出電極３およびガード電極４の配置パターンは、格子状に限定されるものではなく、ベタ状や網目状等の他のさまざまな配置パターンであってもよい。
また、センサ本体２の配置場所は、敷布と敷布団の間に限定されるものではなく、生体ＬＢと検出電極３の間の静電容量を検出可能な、生体ＬＢの近傍の場所であるならば、任意とすることができる。
【００３０】
デジタル変換部１０の構成は、シグマ−デルタ変換方式に限定されるものではなく、例えば発振周波数方式のものであってもよい。ここで、発振周波数変換方式とは、図２（Ｂ）に示すような公知の発振回路（例えばＣＲ回路）１０ｈ、発振状態検出回路１０ｉ、出力回路１０ｊ、Ａ／Ｄ変換回路１０ｋを用いるものである。すなわち、発振回路１０ｈが検出電極３と生体ＬＢの間の静電容量をコンデンサとして発振し、発振状態検出回路１０ｉが発振回路１０ｈの発振信号を検出し、出力回路１０ｊが発振信号に基づいて静電容量の変化に比例したアナログ信号を出力し、Ａ／Ｄ変換回路１０ｋが出力回路１０ｊのアナログ信号をデジタル信号に変換するものである。
【００３１】
記憶部１２は、シフトレジスタに限定されるものではなく、メモリであってもよい。
演算部１３は、デジタル信号の変化率の絶対値｜（Ｎ−Ｍ）／Ｍ｜×１００［％］を演算する以外に、デジタル信号の差分の絶対値｜Ｎ−Ｍ｜を算出し、算出した差分の絶対値が所定値以上であるときに、リセット信号を出力するようになっていてもよい。
【００３２】
クロック信号生成部１１におけるクロック信号の周期、演算部１３におけるリセット信号を出力する際の算出式や所定値、および、タイマー部１４における設定時間等は、様々な値に適宜設定されうることは言うまでもない。
【００３３】
また、上記実験では、本考案の体動状態監視センサ装置を、就寝中の人（被検者）の体動状態の異常を検知するのに用いたが、人に限定されず、動物（例えば、ペット、家畜、動物園の動物等）の体動状態の異常を検知するのに用いてもよい。さらに、本考案の体動状態監視センサ装置を、就寝中の生体の体動状態の異常だけでなく、就寝中以外（例えば、食事や休憩中等）の生体の体動状態の異常を検知するのに用いてもよい。
【符号の説明】
【００３４】
１  体動状態監視センサ装置
２  センサ本体
３  検出電極
３ａ  導電性撚り線
３ｂ  絶縁部材
４  ガード電極
５ａ、５ｂ  絶縁シート
５ｃ  絶縁カバー部材
６  ガード回路
７  バッファーアンプ
８  ケーブル（同軸ケーブル）
９  センサ回路
１０  デジタル変換部
１０ａ  スイッチング回路
１０ｂ  クロックパルス生成回路
１０ｃ  基準パルス生成回路
１０ｄ  放電回路
１０ｅ  増幅器
１０ｆ  ラッチ回路
１０ｇ  ビットストリーム回路
１０ｈ  発振回路
１０ｉ  発振状態検出回路
１０ｊ  出力回路
１０ｋ  Ａ／Ｄ変換回路
１１  クロック信号生成部
１２  記憶部
１３  演算部
１４  タイマー部
１４ａ  第１のタイマー部
１４ｂ  第２のタイマー部
ＬＢ  生体
【図１】
0003167561.tif 000003
【図２】
0003167561.tif 000004
【図３】
0003167561.tif 000005
【図４】
0003167561.tif 000006